【手続補正書】
【提出日】令和1年5月27日(2019.5.27)
【手続補正１】
【補正対象書類名】明細書
【補正対象項目名】００４１
【補正方法】変更
【補正の内容】
【００４１】
図４は、炉の実験用の容積におけるガスの動きに対して、これらの噴射が及ぼす影響を示す。これらの動きを可視化するために、速度ベクトルを、空気入口ダクトの中央を通る垂直な面において示した。この表示によって、ガスの垂直方向への再循環を可視化することが可能となる。構成によって、大きな違いが観察される。本発明に係る音速噴射によって、実験用の容積における最も広範な再循環が起こる。さらに、表２で示されるように、音速噴射なしの基準との比較で表現されたＮＯｘに関する結果は、本発明に係る噴射の優位性を明らかに示す。「変化率」の列は、追加ガス噴射無しの基準の構成（図４ａ）との比較におけるＮＯｘ濃度を与える。本発明に係る噴射は、それぞれ、１５％及び２０％のＮＯｘの低減につながる。側壁における音速ガス噴射では、ＮＯｘの大きな低減は生み出されない。
本発明の態様は、以下のとおりである：
〈態様１〉
ガラス溶融のためのエンドファイア炉（１）であって、その上流壁（３３）の、１５％〜３０％の酸素を含む酸化剤用の入口ダクトを含むオーバーヘッドバーナー、その上流壁（３３）の燃焼煙道ガス受入用のダクト（３，２０，３０）、及び、前記上流壁（３３）に開口した又は燃焼煙道ガス受入用の前記ダクト（３，２０，３０）に開口した、ガス噴射を音速の８０％以上の速度で噴射するための、音速噴射装置として言及される少なくとも１個の噴射装置（６，３１）を有する音速噴射システムを備えており、前記音速噴射装置が、燃焼煙道ガス受入用の前記ダクト（３，２０，３０）の方向に進んでいる燃焼煙道ガスの流れ（９）と向流でそのガス（８）を噴射する、ガラス溶融のためのエンドファイア炉（１）。
〈態様２〉
前記音速噴射装置（６，３１）が、そのガスを、音速の少なくとも９５％で噴射することを特徴とする、態様１に記載の炉。
〈態様３〉
前記上流壁（３３）にある前記酸化剤入口ダクトの断面積が、０．５〜３ｍ２にわたる範囲内であること、及び前記上流壁（３３）にある煙道ガス受入用の前記ダクト（３，２０，３０）の断面積が、０．５〜３ｍ２にわたる範囲内であることを特徴とする、態様１又は２に記載の炉。
〈態様４〉
前記音速噴射システムの放出面積が、０．２〜４ｃｍ２にわたる範囲内であることを特徴とする、態様１〜３のいずれか一項に記載の炉。
〈態様５〉
燃焼煙道ガス受入用の前記ダクト（３，２０，３０）を有する前記壁（３３）に垂直な前記音速噴射システムのインパルス成分（３４）が、５ニュートンよりも大きく、好ましくは、１０ニュートンよりも大きいことを特徴とする、態様４に記載の炉。
〈態様６〉
前記音速噴射システムの全ての音速噴射装置（２１，２２，２３，２４，２５，２６）が、煙道ガス受入用の前記ダクト（３，２０，３０）に開口しており、又は、前記酸化剤入口ダクトよりは煙道ガス受入用の前記ダクト（３，２０，３０）に近い場所において、前記上流壁に開口していることを特徴とする、態様１〜５のいずれか一項に記載の炉。
〈態様７〉
前記音速噴射システムの全ての音速噴射装置（２１，２２，２３，２４，２５，２６）が、煙道ガス受入用の前記ダクト（２０）の端から１ｍ未満のところで開口していることを特徴とする、態様１〜６のいずれか一項に記載の炉。
〈態様８〉
全ての音速噴射装置（２１，２２，２３，２４，２５，２６）が、煙道ガス受入用の前記ダクト（３，２０，３０）の端から０．５ｍ未満のところで開口していることを特徴とする、態様７に記載の炉。
〈態様９〉
前記ガスが、空気であることを特徴とする、態様１〜８のいずれか一項に記載の炉。
〈態様１０〉
前記音速噴射システムが、いくつかの音速噴射装置（２１，２２，２３，２４，２５）を有していることを特徴とする、態様１〜９のいずれか一項に記載の炉。
〈態様１１〉
態様１〜１０のいずれか一項に記載の炉においてガラスを溶融することを含む、溶融ガラスを調製するための方法。
〈態様１２〉
前記音速システムが、前記酸化剤入口ダクトによって導入される酸化剤の標準体積の０．２％〜５％、好ましくは、０．２％〜２％の割合でガスを送ることを特徴とする、態様１１に記載の方法。
〈態様１３〉
前記炉に導入される酸化剤の量が、前記炉に導入される燃料の量と比較して、過剰であることを特徴とする、態様１１又は１２に記載の方法。
〈態様１４〉
前記音速噴射システムを介したものを含まない前記炉に導入される酸化剤の量が、前記音速噴射システムを介したものを含まない前記炉に導入される燃料の量と比較して、過剰であることを特徴とする、態様１１〜１３のいずれか一項に記載の方法。
【手続補正２】
【補正対象書類名】特許請求の範囲
【補正対象項目名】全文
【補正方法】変更
【補正の内容】
【特許請求の範囲】
【請求項１】
ガラス溶融のためのエンドファイア炉（１）であって、その上流壁（３３）の、１５％〜３０％の酸素を含む酸化剤用の入口ダクトを含むオーバーヘッドバーナー、その上流壁（３３）の燃焼煙道ガス受入用のダクト（３，２０，３０）、及び、前記上流壁（３３）に開口した又は燃焼煙道ガス受入用の前記ダクト（３，２０，３０）に開口した、ガス噴射を音速の８０％以上の速度で噴射するための、音速噴射装置として言及される少なくとも１個の噴射装置（６，３１）を有する音速噴射システムを備えており、前記音速噴射装置が、燃焼煙道ガス受入用の前記ダクト（３，２０，３０）の方向に進んでいる燃焼煙道ガスの流れ（９）と向流でそのガス（８）を噴射する、ガラス溶融のためのエンドファイア炉（１）。
【請求項２】
前記音速噴射装置（６，３１）が、そのガスを、音速の少なくとも９５％で噴射することを特徴とする、請求項１に記載の炉。
【請求項３】
前記上流壁（３３）にある前記酸化剤入口ダクトの断面積が、０．５〜３ｍ２にわたる範囲内であること、及び前記上流壁（３３）にある煙道ガス受入用の前記ダクト（３，２０，３０）の断面積が、０．５〜３ｍ２にわたる範囲内であることを特徴とする、請求項１又は２に記載の炉。
【請求項４】
前記音速噴射システムの放出面積が、０．２〜４ｃｍ２にわたる範囲内であることを特徴とする、請求項１〜３のいずれか一項に記載の炉。
【請求項５】
燃焼煙道ガス受入用の前記ダクト（３，２０，３０）を有する前記壁（３３）に垂直な前記音速噴射システムのインパルス成分（３４）が、５ニュートンよりも大きく、好ましくは、１０ニュートンよりも大きいことを特徴とする、請求項４に記載の炉。
【請求項６】
前記音速噴射システムの全ての音速噴射装置（２１，２２，２３，２４，２５，２６）が、煙道ガス受入用の前記ダクト（３，２０，３０）に開口しており、又は、前記酸化剤入口ダクトよりは煙道ガス受入用の前記ダクト（３，２０，３０）に近い場所において、前記上流壁に開口していることを特徴とする、請求項１〜５のいずれか一項に記載の炉。
【請求項７】
前記音速噴射システムの全ての音速噴射装置（２１，２２，２３，２４，２５，２６）が、煙道ガス受入用の前記ダクト（２０）の端から１ｍ未満のところで開口していることを特徴とする、請求項１〜６のいずれか一項に記載の炉。
【請求項８】
全ての音速噴射装置（２１，２２，２３，２４，２５，２６）が、煙道ガス受入用の前記ダクト（３，２０，３０）の端から０．５ｍ未満のところで開口していることを特徴とする、請求項１〜７のいずれか一項に記載の炉。
【請求項９】
前記ガスが、空気であることを特徴とする、請求項１〜８のいずれか一項に記載の炉。
【請求項１０】
前記音速噴射システムが、いくつかの音速噴射装置（２１，２２，２３，２４，２５）を有していることを特徴とする、請求項１〜９のいずれか一項に記載の炉。
【請求項１１】
ガラス溶融のためのエンドファイア炉（１）であって、その上流壁（３３）の、１５％〜３０％の酸素を含む酸化剤用の入口ダクトを含むオーバーヘッドバーナー、その上流壁（３３）の燃焼煙道ガス受入用のダクト（３，２０，３０）、及び、前記上流壁（３３）に開口した又は燃焼煙道ガス受入用の前記ダクト（３，２０，３０）に開口した、ガス噴射を噴射するための、音速噴射装置として言及される少なくとも１個の噴射装置（６，３１）を有する音速噴射システムを備えており、前記音速噴射装置が、燃焼煙道ガス受入用の前記ダクト（３，２０，３０）の方向に進んでいる燃焼煙道ガスの流れ（９）と向流で、そのガス（８）を、音速の８０％以上の速度で噴射する、ガラス溶融のためのエンドファイア炉（１）、においてガラスを溶融することを含む、溶融ガラスを調製するための方法。
【請求項１２】
前記音速噴射装置（６，３１）が、そのガスを、音速の少なくとも９５％で噴射することを特徴とする、請求項１１に記載の方法。
【請求項１３】
前記上流壁（３３）にある前記酸化剤入口ダクトの断面積が、０．５〜３ｍ２にわたる範囲内であること、及び前記上流壁（３３）にある煙道ガス受入用の前記ダクト（３，２０，３０）の断面積が、０．５〜３ｍ２にわたる範囲内であることを特徴とする、請求項１１又は１２に記載の方法。
【請求項１４】
前記音速噴射システムの放出面積が、０．２〜４ｃｍ２にわたる範囲内であることを特徴とする、請求項１１〜１３のいずれか一項に記載の方法。
【請求項１５】
燃焼煙道ガス受入用の前記ダクト（３，２０，３０）を有する前記壁（３３）に垂直な前記音速噴射システムのインパルス成分（３４）が、５ニュートンよりも大きく、好ましくは、１０ニュートンよりも大きいことを特徴とする、請求項１１〜１４のいずれか一項に記載の方法。
【請求項１６】
前記音速噴射システムの全ての音速噴射装置（２１，２２，２３，２４，２５，２６）が、煙道ガス受入用の前記ダクト（３，２０，３０）に開口しており、又は、前記酸化剤入口ダクトよりは煙道ガス受入用の前記ダクト（３，２０，３０）に近い場所において、前記上流壁に開口していることを特徴とする、請求項１１〜１５のいずれか一項に記載の方法。
【請求項１７】
前記音速噴射システムの全ての音速噴射装置（２１，２２，２３，２４，２５，２６）が、煙道ガス受入用の前記ダクト（２０）の端から１ｍ未満のところで開口していることを特徴とする、請求項１１〜１６のいずれか一項に記載の方法。
【請求項１８】
全ての音速噴射装置（２１，２２，２３，２４，２５，２６）が、煙道ガス受入用の前記ダクト（３，２０，３０）の端から０．５ｍ未満のところで開口していることを特徴とする、請求項１１〜１７のいずれか一項に記載の方法。
【請求項１９】
前記ガスが、空気であることを特徴とする、請求項１１〜１８のいずれか一項に記載の方法。
【請求項２０】
前記音速噴射システムが、いくつかの音速噴射装置（２１，２２，２３，２４，２５）を有していることを特徴とする、請求項１１〜１９のいずれか一項に記載の方法。
【請求項２１】
前記音速システムが、前記酸化剤入口ダクトによって導入される酸化剤の標準体積の０．２％〜５％、好ましくは、０．２％〜２％の割合でガスを送ることを特徴とする、請求項１１〜２０のいずれか一項に記載の方法。
【請求項２２】
前記炉に導入される酸化剤の量が、前記炉に導入される燃料の量と比較して、過剰であることを特徴とする、請求項１１〜２１のいずれか一項に記載の方法。
【請求項２３】
前記音速噴射システムを介したものを含まない前記炉に導入される酸化剤の量が、前記音速噴射システムを介したものを含まない前記炉に導入される燃料の量と比較して、過剰であることを特徴とする、請求項１１〜２２のいずれか一項に記載の方法。